【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作するコンピュータにより実行されるプログラムであって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか判定する判定手段と、
前記判定手段により前記組み合わせとなっていないと判定された場合に、前記組み合わせを満たすもう１つのプリンタドライバに出力先を変更する旨の表示を行う変更表示手段と、
前記アプリケーションから出力先として前記もう一つのプリンタドライバが呼び出された場合、最初に呼び出されたプリンタドライバに対して設定された印刷設定値を、新たに呼び出されたプリンタドライバに対する印刷設定ととして反映する設定反映手段と
してコンピュータを機能させるためのプログラム。
【請求項２】
前記変更表示手段は、前記最初に呼び出されたプリンタドライバの出力先のプリンタを出力先としており、かつ前記組み合わせを満たすもう１つのプリンタドライバに出力先を変更する旨の表示を行うことを特徴とする請求項１に記載のプログラム。
【請求項３】
前記第１種類のプリンタドライバと前記第２種類のプリンタドライバで用いられる印刷設定画面は、共通のユーザインターフェースドライバにより提供されることを特徴とする請求項１または２に記載のプログラム。
【請求項４】
前記変更表示手段は、印刷設定画面を介する印刷設定値の設定が完了した際に、正しい組み合わせとなるプリンタドライバに出力先を変更する旨の表示を行うことを特徴とする請求項１に記載のプログラム。
【請求項５】
前記判定手段により組み合わせが正しくないと判定される場合に、前記アプリケーションの名称と、印刷設定値とを関連づけて印刷設定保存領域に保存する保存手段と、
新たにプリンタドライバが呼び出された場合に、前記印刷設定保存領域に保存されている印刷設定値の組から、新たにプリンタドライバを呼びだしたアプリケーションの名称と、保持されている名称とが一致する印刷設定値を検索する検索手段として更にコンピュータを機能させ、
前記検索手段により一致する印刷設定値が検索される場合に、前記設定反映手段は、当該アプリケーションの名称に関連づけて保存されている印刷設定値を新たに呼び出された前記プリンタドライバに反映することを特徴とする請求項１乃至４のいずれか１項に記載のプログラム。
【請求項６】
前記保存手段は、最初に呼び出されたプリンタドライバの種別を示す情報または、前記組合せを満たすもう１つのプリンタドライバの種別を示す情報を前記印刷設定値に関連付けて保存し、
前記検索手段は、プリンタドライバの種別を示す情報を用いて、印刷設定値を検索することを特徴とする請求項５記載のプログラム。
【請求項７】
前記設定反映手段により、最初に呼び出されたプリンタドライバに対して設定された印刷設定値を、新たに呼び出されたプリンタドライバに対する印刷設定ととして反映した後に、前記印刷設定保存領域に保存されている印刷設定値を削除する削除手段として更にコンピュータを機能させることを特徴とする請求項５または６に記載のプログラム。
【請求項８】
前記設定反映手段は、印刷設定画面を介して設定可能な印刷設定値のうち、アプリケーションから設定できないプリンタドライバ独自の印刷設定値について反映することを特徴とする請求項１乃至７のいずれか１項に記載のプログラム。
【請求項９】
第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作する情報処理装置であって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか判定する判定手段と、
前記判定手段により前記組み合わせとなっていないと判定された場合に、前記組み合わせを満たすもう１つのプリンタドライバに出力先を変更する旨の表示を行う変更表示手段と、
前記アプリケーションから出力先として前記もう一つのプリンタドライバが呼び出された場合、最初に呼び出されたプリンタドライバに対して設定された印刷設定値を、新たに呼び出されたプリンタドライバに対する印刷設定ととして反映する設定反映手段と
を備えることを特徴とする情報処理装置。
【請求項１０】
前記変更表示手段は、前記最初に呼び出されたプリンタドライバの出力先のプリンタを出力先としており、かつ前記組み合わせを満たすもう１つのプリンタドライバに出力先を変更する旨の表示を行うことを特徴とする請求項９に記載の情報処理装置。
【請求項１１】
前記第１種類のプリンタドライバと前記第２種類のプリンタドライバで用いられる印刷設定画面は、共通のユーザインターフェースドライバにより提供されることを特徴とする請求項９または１０に記載の情報処理装置。
【請求項１２】
前記変更表示手段は、印刷設定画面を介する印刷設定値の設定が完了した際に、正しい組み合わせとなるプリンタドライバに出力先を変更する旨の表示を行うことを特徴とする請求項９に記載の情報処理装置。
【請求項１３】
前記判定手段により組み合わせが正しくないと判定される場合に、前記アプリケーションの名称と、印刷設定値とを関連づけて印刷設定保存領域に保存する保存手段と、
新たにプリンタドライバが呼び出された場合に、前記印刷設定保存領域に保存されている印刷設定値の組から、新たにプリンタドライバを呼びだしたアプリケーションの名称と、保持されている名称とが一致する印刷設定値を検索する検索手段とを更に備え、
前記検索手段により一致する印刷設定値が検索される場合に、前記設定反映手段は、当該アプリケーションの名称に関連づけて保存されている印刷設定値を新たに呼び出された前記プリンタドライバに反映することを特徴とする請求項９乃至１２のいずれか１項に記載の情報処理装置。
【請求項１４】
前記保存手段は、最初に呼び出されたプリンタドライバの種別を示す情報または、前記組合せを満たすもう１つのプリンタドライバの種別を示す情報を前記印刷設定値に関連付けて保存し、
前記検索手段は、プリンタドライバの種別を示す情報を用いて、印刷設定値を検索することを特徴とする請求項１３記載の情報処理装置。
【請求項１５】
前記設定反映手段により、最初に呼び出されたプリンタドライバに対して設定された印刷設定値を、新たに呼び出されたプリンタドライバに対する印刷設定ととして反映した後に、前記印刷設定保存領域に保存されている印刷設定値を削除する削除手段として更にコンピュータを機能させることを特徴とする請求項９または１０に記載の情報処理装置。
【請求項１６】
前記設定反映手段は、印刷設定画面を介して設定可能な印刷設定値のうち、アプリケーションから設定できないプリンタドライバ独自の印刷設定値について反映することを特徴とする請求項９乃至１５のいずれか１項に記載の情報処理装置。
【請求項１７】
第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作する情報処理装置における印刷設定管理方法であって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか判定する判定工程と、
前記判定工程により前記組み合わせとなっていないと判定された場合に、前記組み合わせを満たすもう１つのプリンタドライバに出力先を変更する旨の表示を行う変更表示工程と、
前記アプリケーションから出力先として前記もう一つのプリンタドライバが呼び出された場合、最初に呼び出されたプリンタドライバに対して設定された印刷設定値を、新たに呼び出されたプリンタドライバに対する印刷設定ととして反映する設定反映工程と
を備えることを特徴とする情報処理方法。
【請求項１８】
前記変更表示工程は、前記最初に呼び出されたプリンタドライバの出力先のプリンタを出力先としており、かつ前記組み合わせを満たすもう１つのプリンタドライバに出力先を変更する旨の表示を行うことを特徴とする請求項１７に記載の情報処理方法。
【請求項１９】
前記第１種類のプリンタドライバと前記第２種類のプリンタドライバで用いられる印刷設定画面は、共通のユーザインターフェースドライバにより提供されることを特徴とする請求項１７または１８に記載の情報処理方法。
【請求項２０】
前記変更表示工程は、印刷設定画面を介する印刷設定値の設定が完了した際に、正しい組み合わせとなるプリンタドライバに出力先を変更する旨の表示を行うことを特徴とする請求項１７に記載の情報処理方法。
【請求項２１】
前記判定工程により組み合わせが正しくないと判定される場合に、前記アプリケーションの名称と、印刷設定値とを関連づけて印刷設定保存領域に保存する保存工程と、
新たにプリンタドライバが呼び出された場合に、前記印刷設定保存領域に保存されている印刷設定値の組から、新たにプリンタドライバを呼びだしたアプリケーションの名称と、保持されている名称とが一致する印刷設定値を検索する検索工程とを更に備え、
前記検索工程により一致する印刷設定値が検索される場合に、前記設定反映工程は、当該アプリケーションの名称に関連づけて保存されている印刷設定値を新たに呼び出された前記プリンタドライバに反映することを特徴とする請求項１７乃至２０のいずれか１項に記載の情報処理方法。
【請求項２２】
前記保存工程は、最初に呼び出されたプリンタドライバの種別を示す情報または、前記組合せを満たすもう１つのプリンタドライバの種別を示す情報を前記印刷設定値に関連付けて保存し、
前記検索工程は、プリンタドライバの種別を示す情報を用いて、印刷設定値を検索することを特徴とする請求項２１記載の情報処理方法。
【請求項２３】
前記設定反映工程により、最初に呼び出されたプリンタドライバに対して設定された印刷設定値を、新たに呼び出されたプリンタドライバに対する印刷設定ととして反映した後に、前記印刷設定保存領域に保存されている印刷設定値を削除する削除工程として更にコンピュータを機能させることを特徴とする請求項１７または１８に記載の情報処理方法。
【請求項２４】
前記設定反映工程は、印刷設定画面を介して設定可能な印刷設定値のうち、アプリケーションから設定できないプリンタドライバ独自の印刷設定値について反映することを特徴とする請求項１７乃至２３のいずれか１項に記載の情報処理方法。